【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
第１熱媒体を循環させる第１循環回路（１００）を有するサーモサイフォン（１０）を備え、前記第１熱媒体の液相と気相の相変化により対象機器（１２ａ、１２ｂ）の温度を調整する機器温調装置であって、
第２熱媒体を循環させる第２循環回路（２００）と、前記第２循環回路の内部の前記第２熱媒体を圧縮して吐出する圧縮機（２３）と、前記圧縮機から吐出された前記第２熱媒体と空気を熱交換して前記第２熱媒体の熱を放熱する放熱用熱交換器（２１）と、前記放熱用熱交換器から流出した前記第２熱媒体を減圧させる膨張弁（３０、３１）と、を有する冷凍サイクル（２０）を備え、
前記サーモサイフォンは、
前記第１循環回路に配置され、前記対象機器の冷却時に前記第１熱媒体が蒸発するように前記対象機器と前記第２熱媒体とが熱交換可能に構成された機器用熱交換器（１４）と、
前記膨張弁にて減圧された前記第２熱媒体と前記機器用熱交換器により蒸発した前記第１熱媒体を熱交換して前記第１熱媒体を凝縮させる凝縮器（１６）と、を有し、
前記凝縮器は、前記第２熱媒体を流入する流入口（１６３）と、前記第２熱媒体を流出する流出口（１６４）と、を有し、
前記放熱用熱交換器は、前記第２熱媒体を流入する流入口（２１１）と、前記第２熱媒体を流出する流出口（２１２）と、を有し、
前記第２循環回路は、前記放熱用熱交換器の前記流出口と前記凝縮器の前記流入口との間を接続する第１接続配管（２０１）と、前記凝縮器の前記流出口と前記放熱用熱交換器の前記流入口との間を接続する第２接続配管（２０２）と、を有し、
前記圧縮機が作動を停止した際に、前記放熱用熱交換器から前記凝縮器への前記第２熱媒体の流入が促進される構成となっており、
前記第１循環回路の少なくとも一部に、前記第１熱媒体の熱を前記第１接続配管に伝熱させる熱伝達部材（４０）が設けられている機器温調装置。
【請求項２】
前記第１熱媒体の目標液面よりも上の部分の少なくとも１カ所以上に、前記熱伝達部材（４０）が設けられている請求項１に記載の機器温調装置。
【請求項３】
前記第１循環回路は、前記機器用熱交換器から流出した前記第１熱媒体を前記凝縮器に導入する復路配管（１０２）を有し、
前記復路配管に、前記熱伝達部材（４０）が設けられている請求項１または２に記載の機器温調装置。
【請求項４】
第１熱媒体を循環させる第１循環回路（１００）を有するサーモサイフォン（１０）を備え、前記第１熱媒体の液相と気相の相変化により対象機器（１２ａ、１２ｂ）の温度を調整する機器温調装置であって、
第２熱媒体を循環させる第２循環回路（２００）と、前記第２循環回路の内部の前記第２熱媒体を圧縮して吐出する圧縮機（２３）と、前記圧縮機から吐出された前記第２熱媒体と空気を熱交換して前記第２熱媒体の熱を放熱する放熱用熱交換器（２１）と、前記放熱用熱交換器から流出した前記第２熱媒体を減圧させる膨張弁（３０、３１）と、を有する冷凍サイクル（２０）を備え、
前記サーモサイフォンは、
前記第１循環回路に配置され、前記対象機器の冷却時に前記第１熱媒体が蒸発するように前記対象機器と前記第２熱媒体とが熱交換可能に構成された機器用熱交換器（１４）と、
前記膨張弁にて減圧された前記第２熱媒体と前記機器用熱交換器により蒸発した前記第１熱媒体を熱交換して前記第１熱媒体を凝縮させる凝縮器（１６）と、を有し、
前記凝縮器は、前記第２熱媒体を流入する流入口（１６３）と、前記第２熱媒体を流出する流出口（１６４）と、を有し、
前記放熱用熱交換器は、前記第２熱媒体を流入する流入口（２１１）と、前記第２熱媒体を流出する流出口（２１２）と、を有し、
前記第２循環回路は、前記放熱用熱交換器の前記流出口と前記凝縮器の前記流入口との間を接続する第１接続配管（２０１）と、前記凝縮器の前記流出口と前記放熱用熱交換器の前記流入口との間を接続する第２接続配管（２０２）と、を有し、
前記圧縮機が作動を停止した際に、前記放熱用熱交換器から前記凝縮器への前記第２熱媒体の流入が促進される構成となっており、
前記第１循環回路は、前記機器用熱交換器から流出した前記第１熱媒体を前記凝縮器に導入する復路配管（１０２）を有し、
前記復路配管には、該復路配管を流れる前記第１熱媒体の熱を前記第１接続配管に伝熱させる熱伝達部材（４０）が設けられている機器温調装置。
【請求項５】
前記圧縮機が作動を停止した際に、前記放熱用熱交換器から前記凝縮器への前記第２熱媒体の流入が促進される配置となっている請求項１ないし４のいずれか１つに記載の機器温調装置。
【請求項６】
前記凝縮器の前記流入口は、前記放熱用熱交換器の前記流出口よりも上下方向下側に配置されている請求項１ないし５のいずれか１つに記載の機器温調装置。
【請求項７】
前記凝縮器の前記流入口は、前記放熱用熱交換器の前記流出口と同じ高さに配置されている請求項１ないし５のいずれか１つに記載の機器温調装置。
【請求項８】
前記第１接続配管は、前記放熱用熱交換器の前記流出口から前記凝縮器の前記流入口に近づくにつれて上下方向下側に傾斜するよう配置されている請求項１〜６のいずれか１つに記載の機器温調装置。
【請求項９】
前記凝縮器の前記流入口は、前記冷凍サイクルを構成している前記圧縮機、前記放熱用熱交換器および前記膨張弁よりも上下方向下側に配置されている請求項１ないし８のいずれか１つに記載の機器温調装置。
【請求項１０】
前記第１接続配管は、前記放熱用熱交換器の前記流出口よりも上下方向上側を経由することなく前記放熱用熱交換器の前記流出口と前記凝縮器の前記流入口との間を接続している請求項６ないし９のいずれか１つに記載の機器温調装置。
【請求項１１】
前記凝縮器の前記流入口は、前記第２循環回路に前記第２熱媒体が充填される際の前記第２熱媒体の目標液面よりも上下方向下側に配置されている請求項１ないし１０のいずれか１つに記載の機器温調装置。
【請求項１２】
前記凝縮器の流出口は、前記凝縮器の前記流入口より上下方向上側に配置されており、
前記凝縮器の前記流入口から流入した前記第２熱媒体が上下方向上側に移動して前記凝縮器の前記流出口から流出するよう構成されている請求項１ないし１１のいずれか１つに記載の機器温調装置。
【請求項１３】
前記放熱用熱交換器は、前記第２熱媒体を流入する前記流入口と前記第２熱媒体を流出する前記流出口を構成する少なくとも２つの出入口（２１３）を有し、
前記放熱用熱交換器の前記出入口は、上下方向において互いに異なる位置に配置されており、
前記第１接続配管は、前記放熱用熱交換器の前記出入口のうち最も上下方向上側に配置された前記出入口よりも上下方向下側に配置された前記出入口と前記凝縮器の前記流入口との間を接続している請求項１ないし１２のいずれか１つに記載の機器温調装置。
【請求項１４】
前記凝縮器は、前記第１循環回路に前記第１熱媒体が充填される際の前記第１熱媒体の目標液面よりも上下方向上側に配置されている請求項１ないし１３のいずれか１つに記載の機器温調装置。
【請求項１５】
前記放熱用熱交換器と前記凝縮器とを接続する経路上に配置され、前記放熱用熱交換器と前記凝縮器とを接続する経路を開閉する経路開閉部（３２）と、
前記対象機器の温度に基づいて前記対象機器の冷却が必要か否かを判定する冷却判定部（Ｓ１０４）と、
前記圧縮機が作動を停止し、かつ、前記冷却判定部により前記対象機器の冷却が必要であると判定された場合、前記経路開閉部を開状態にする膨張弁開制御部（Ｓ１１２）と、を備えた請求項１ないし１４のいずれか１つに記載の機器温調装置。
【請求項１６】
前記圧縮機が作動を停止し、かつ、前記冷却判定部により前記対象機器の冷却が必要でないと判定された場合、前記経路開閉部を閉状態にする膨張弁閉制御部（Ｓ１１４）を備えた請求項１５に記載の機器温調装置。
【請求項１７】
前記経路開閉部は、電気式膨張弁である請求項１５または１６に記載の機器温調装置。
【請求項１８】
前記圧縮機は、該圧縮機により生じた熱を蓄熱することが可能な熱容量部材（２３０）と接触するよう配置されている請求項１ないし１７のいずれか１つに記載の機器温調装置。
【請求項１９】
前記放熱用熱交換器は、車両に搭載され、
前記放熱用熱交換器は、前記圧縮機から吐出された前記第２熱媒体と前記車両の外気とを熱交換して前記第２熱媒体の熱を放熱する外気熱交換器である請求項１ないし１８のいずれか１つに記載の機器温調装置。
【請求項２０】
前記第２循環回路は、前記第２熱媒体が前記圧縮機を迂回するように流れる迂回配管（２０６）を有し、
前記迂回配管には、該迂回配管により形成される流路を開閉する迂回流路開閉部（３６）が設けられており、
前記圧縮機が作動を停止した際に、前記迂回流路開閉部が開状態となるよう制御され、前記凝縮器で蒸発した前記第２熱媒体が前記迂回配管を通って循環するループ式サーモサイフォンが構成される請求項１ないし１９のいずれか１つに記載の機器温調装置。
【請求項２１】
前記凝縮器は、第１凝縮器（１６）であり、
前記圧縮機が作動を停止した際に、前記第１凝縮器より優先して前記機器用熱交換器により蒸発された前記第１熱媒体を凝縮させる第２凝縮器(１８）を備え、
前記圧縮機が作動を停止した際に、前記放熱用熱交換器から前記第２凝縮器への前記第２熱媒体の流入が促進されるよう構成されている請求項１ないし２０のいずれか１つに記載の機器温調装置。
【請求項２２】
前記圧縮機が作動を停止した際に、前記放熱用熱交換器から前記第２凝縮器への前記第２熱媒体の流入が促進される配置となっている請求項２１に記載の機器温調装置。
【請求項２３】
前記第２凝縮器は、前記第２熱媒体を流入する流入口（１８３）を有し、
前記第２凝縮器の前記流入口は、前記放熱用熱交換器の前記流出口よりも上下方向下側に配置されている請求項２１または２２に記載の機器温調装置。
【請求項２４】
第１熱媒体を循環させる第１循環回路（１００）を有するサーモサイフォン（１０）を備え、前記第１熱媒体の液相と気相の相変化により対象機器（１２ａ、１２ｂ）の温度を調整する機器温調装置であって、
第２熱媒体を循環させる第２循環回路（２００）と、前記第２循環回路の内部の前記第２熱媒体を圧縮して吐出する圧縮機（２３）と、前記圧縮機から吐出された前記第２熱媒体と空気を熱交換して前記第２熱媒体の熱を放熱する放熱用熱交換器（２１）と、前記放熱用熱交換器から流出した前記第２熱媒体を減圧させる膨張弁（３０、３１）と、を有する冷凍サイクル（２０）を備え、
前記サーモサイフォンは、
前記第１循環回路に配置され、前記対象機器の冷却時に前記第１熱媒体が蒸発するように前記対象機器と前記第２熱媒体とが熱交換可能に構成された機器用熱交換器（１４）と、
前記膨張弁にて減圧された前記第２熱媒体と前記機器用熱交換器により蒸発した前記第１熱媒体を熱交換して前記第１熱媒体を凝縮させる凝縮器（１６）と、を備え、
前記第１循環回路は、前記機器用熱交換器から流出した前記第１熱媒体を前記凝縮器に導入する復路配管（１０２）を有し、
前記第１循環回路の少なくとも１カ所は、伝熱により冷却するための伝熱部材（４１）と接触しており、
前記伝熱部材は、前記復路配管と接触している機器温調装置。
【請求項２５】
前記伝熱部材は、前記第１循環回路のうち、前記第１熱媒体の目標液面よりも上の部分の少なくとも１カ所と接触している請求項２４に記載の機器温調装置。
【請求項２６】
前記対象機器の冷却が必要であるか否かを判定する冷却判定部（Ｓ１０４）と、
前記対象機器の冷却能力の増加が必要か否かを判定する能力増加判定部（Ｓ５０２）と、
前記冷却判定部により前記対象機器の冷却が必要であると判定され、かつ、前記能力増加判定部により前記対象機器の冷却能力の増加が必要であると判定された場合、前記圧縮機を作動させる圧縮機作動部（Ｓ５０４、Ｓ６０４、Ｓ７０４、Ｓ８０４）と、を備えた請求項１または２３に記載の機器温調装置。
【請求項２７】
前記冷却判定部は、前記対象機器の温度が第１閾値以上である場合、前記対象機器の冷却が必要であると判定し、前記対象機器の温度が前記第１閾値未満の場合、前記対象機器の冷却が必要でないと判定し、
前記能力増加判定部は、前記対象機器の温度が前記第１閾値よりも高い第２閾値以上である場合、前記対象機器の冷却能力の増加が必要であると判定し、前記対象機器の温度が前記第２閾値未満の場合、前記対象機器の冷却能力の増加が必要でないと判定する請求項２６に記載の機器温調装置。
【請求項２８】
前記能力増加判定部により前記対象機器の冷却能力の増加が必要であると判定された場合、前記対象機器の冷却能力の増加を許可するか否かを判定する許可判定部（Ｓ５０６）を備え、
前記圧縮機作動部は、前記許可判定部により前記対象機器の冷却能力の増加を許可すると判定された場合、前記圧縮機を作動させる請求項２６または２７に記載の機器温調装置。
【請求項２９】
前記対象機器は、前記圧縮機に電力を供給する二次電池であり、
前記許可判定部は、前記二次電池が充電中または前記二次電池の充電が開始されることを推定した場合、前記対象機器の冷却能力の増加を許可すると判定する請求項２８に記載の機器温調装置。
【手続補正２】
【補正対象書類名】明細書
【補正対象項目名】０００７
【補正方法】変更
【補正の内容】
【０００７】
上記目的を達成するため、請求項１に記載の発明は、第１熱媒体を循環させる第１循環回路（１００）を有するサーモサイフォン（１０）を備え、第１熱媒体の液相と気相の相変化により対象機器（１２ａ、１２ｂ）の温度を調整する機器温調装置であって、第２熱媒体を循環させる第２循環回路（２００）と、第２循環回路の内部の第２熱媒体を圧縮して吐出する圧縮機（２３）と、圧縮機から吐出された第２熱媒体と空気を熱交換して第２熱媒体の熱を放熱する放熱用熱交換器（２１）と、放熱用熱交換器から流出した第２熱媒体を減圧させる膨張弁（３０、３１）と、を有する冷凍サイクル（２０）を備え、サーモサイフォンは、第１循環回路に配置され、対象機器の冷却時に第１熱媒体が蒸発するように対象機器と第２熱媒体とが熱交換可能に構成された機器用熱交換器（１４）と、膨張弁にて減圧された第２熱媒体と機器用熱交換器により蒸発した第１熱媒体を熱交換して第１熱媒体を凝縮させる凝縮器（１６）と、を有し、凝縮器は、第２熱媒体を流入する流入口（１６３）と、第２熱媒体を流出する流出口（１６４）と、を有し、放熱用熱交換器は、第２熱媒体を流入する流入口（２１１）と、第２熱媒体を流出する流出口（２１２）と、を有し、第２循環回路は、放熱用熱交換器の流出口と凝縮器の流入口との間を接続する第１接続配管（２０１）と、凝縮器の流出口と放熱用熱交換器の流入口との間を接続する第２接続配管（２０２）と、を有し、圧縮機が作動を停止した際に、放熱用熱交換器から凝縮器への第２熱媒体の流入が促進される構成となっており、記第１循環回路の少なくとも一部に、第１熱媒体の熱を第１接続配管に伝熱させる熱伝達部材（４０）が設けられている。
また、上記目的を達成するため、請求項４に記載の発明は、第１熱媒体を循環させる第１循環回路（１００）を有するサーモサイフォン（１０）を備え、第１熱媒体の液相と気相の相変化により対象機器（１２ａ、１２ｂ）の温度を調整する機器温調装置であって、第２熱媒体を循環させる第２循環回路（２００）と、第２循環回路の内部の第２熱媒体を圧縮して吐出する圧縮機（２３）と、圧縮機から吐出された第２熱媒体と空気を熱交換して第２熱媒体の熱を放熱する放熱用熱交換器（２１）と、放熱用熱交換器から流出した第２熱媒体を減圧させる膨張弁（３０、３１）と、を有する冷凍サイクル（２０）を備え、サーモサイフォンは、第１循環回路に配置され、対象機器の冷却時に第１熱媒体が蒸発するように対象機器と第２熱媒体とが熱交換可能に構成された機器用熱交換器（１４）と、膨張弁にて減圧された第２熱媒体と機器用熱交換器により蒸発した第１熱媒体を熱交換して第１熱媒体を凝縮させる凝縮器（１６）と、を有し、凝縮器は、第２熱媒体を流入する流入口（１６３）と、第２熱媒体を流出する流出口（１６４）と、を有し、放熱用熱交換器は、第２熱媒体を流入する流入口（２１１）と、第２熱媒体を流出する流出口（２１２）と、を有し、第２循環回路は、放熱用熱交換器の流出口と凝縮器の流入口との間を接続する第１接続配管（２０１）と、凝縮器の流出口と放熱用熱交換器の流入口との間を接続する第２接続配管（２０２）と、を有し、圧縮機が作動を停止した際に、放熱用熱交換器から凝縮器への第２熱媒体の流入が促進される構成となっており、第１循環回路は、機器用熱交換器から流出した第１熱媒体を凝縮器に導入する復路配管（１０２）を有し、復路配管には、該復路配管を流れる第１熱媒体の熱を第１接続配管に伝熱させる熱伝達部材（４０）が設けられている。
【手続補正３】
【補正対象書類名】明細書
【補正対象項目名】０００９
【補正方法】変更
【補正の内容】
【０００９】
また、上記目的を達成するため、請求項２４に記載の発明は、第１熱媒体を循環させる第１循環回路（１００）を有するサーモサイフォン（１０）を備え、第１熱媒体の液相と気相の相変化により対象機器（１２ａ、１２ｂ）の温度を調整する機器温調装置であって、第２熱媒体を循環させる第２循環回路（２００）と、第２循環回路の内部の第２熱媒体を圧縮して吐出する圧縮機（２３）と、圧縮機から吐出された第２熱媒体と空気を熱交換して第２熱媒体の熱を放熱する放熱用熱交換器（２１）と、放熱用熱交換器から流出した第２熱媒体を減圧させる膨張弁（３０、３１）と、を有する冷凍サイクル（２０）を備え、サーモサイフォンは、第１循環回路に配置され、対象機器の冷却時に第１熱媒体が蒸発するように対象機器と第２熱媒体とが熱交換可能に構成された機器用熱交換器（１４）と、膨張弁にて減圧された第２熱媒体と機器用熱交換器により蒸発した第１熱媒体を熱交換して第１熱媒体を凝縮させる凝縮器（１６）と、を備え、第１循環回路の少なくとも１カ所は、伝熱により冷却するための伝熱部材（４１）と接触しており、第１循環回路は、機器用熱交換器から流出した第１熱媒体を凝縮器に導入する復路配管（１０２）を有し、伝熱部材は、復路配管と接触している。